(57)【要約】【課題】故障発生の可能性がある光スイッチを使用せず、装置の信頼性を向上する波長多重伝送装置を得る。【解決手段】ダミー光出力部２−ａに、設定された中心波長λａに近接した中心波長λａ１，λａ２を有するダミー光を出力するダミー光源３ａ１，３ａ２と、中心波長λａ１，λａ２を有するダミー光を合波する光カプラ４ａと、合波されたダミー光の光出力レベルを測定すると共に、その測定される光出力レベルが所定値になるようにダミー光源３ａ１，３ａ２の光出力レベルを制御するダミー光源制御部６ａとを備えた。  光カプラ４ａは、光スイッチとは異なり機械的および電気的な制御が不要な受動部品であり、故障が発生する確率は無視できるほどに小さい。従って、ダミー光源について極めて信頼性の高い冗長系を構成することができる。【選択図】図１
2008141674.tif 000002
【特許請求の範囲】
【請求項１】
中心波長がそれぞれ異なる信号光を出力する複数の信号光送信部と、
上記複数の信号光とは中心波長が異なるダミー光を出力するダミー光出力部と、
上記複数の信号光送信部から出力される信号光および上記ダミー光出力部から出力されるダミー光を合波する光合波器と、
上記光合波器からの波長多重光を増幅して光伝送路に送出する光アンプとを備え、
上記ダミー光出力部は、
当該ダミー光出力部に設定された中心波長に近接したダミー光を出力する複数のダミー光源と、
上記複数のダミー光源から出力されるダミー光を合波する光カプラと、
上記光カプラにより合波されたダミー光の光出力レベルを測定すると共に、その測定される光出力レベルが所定値になるように上記複数のダミー光源の光出力レベルを制御するダミー光源制御部とを備えたことを特徴とする波長多重伝送装置。
【請求項２】
複数のダミー光源は、
ダミー光出力部に設定された中心波長を中心として、中心波長が長短対称にそれぞれ異なり且つ互いに波長間の干渉を防ぐことが可能な程度に近接するダミー光を出力することを特徴とする請求項１記載の波長多重伝送装置。
【請求項３】
ダミー光出力部は、
各ダミー光源から出力されるダミー光の光出力レベルを測定すると共に、各ダミー光源の性能状態を測定し、その測定される性能状態の劣化に応じて予備警報を発生するモニタ回路を備え、
ダミー光源制御部は、
上記モニタ回路から予備警報が発生された場合に、そのモニタ回路により測定される予備警報対象のダミー光源の光出力レベルが徐々に低下し、最終的に零になるようにダミー光源の光出力レベルを制御することを特徴とする請求項１または請求項２記載の波長多重伝送装置。
【請求項４】
ダミー光源制御部は、
モニタ回路からの予備警報が解除された場合に、そのモニタ回路により測定される予備警報が解除されたダミー光源の光出力レベルが徐々に上昇し、最終的に他のダミー光源との光出力レベルが平衡するようにダミー光源の光出力レベルを制御することを特徴とする請求項３記載の波長多重伝送装置。
【発明の詳細な説明】
【技術分野】
【０００１】
この発明は、光通信に用いられる波長多重伝送装置に関するものである。
【背景技術】
【０００２】
光通信に用いられる波長多重伝送装置では、設計される最大波長数に満たない波長数で運用される場合に、ＡＳＥ光（ａｍｐｌｉｆｉｅｄ  ｓｐｏｎｔａｎｅｏｕｓ  ｅｍｉｓｓｉｏｎ：自然放射増幅光）がダミー光として空き波長に入力される。これは、ダミー光が存在しないと光伝送路上の光アンプに入力されるパワーが設計値より下回り、光アンプ出力のＳＮ比（信号対雑音比）が劣化するという現象を防ぐためである。
【０００３】
従来の技術における波長多重伝送装置の例としては、中心波長がそれぞれ異なる信号光を出力する複数の信号光送信部と、複数の信号光とは中心波長がそれぞれ異なるダミー光を出力する複数のダミー光源と、複数のダミー光源から出力されるダミー光を合波する光合波器と、複数の信号光送信部から出力される信号光をそれぞれ増幅する複数の光アンプと、光合波器からの波長多重ダミー光を増幅する光アンプと、複数の光アンプにより増幅された信号光および波長多重ダミー光を合波する光合波器と、光合波器からの波長多重光を分波する分波器と、分波器により分波された波長多重光の光出力レベルを測定する光モニタ部と、光モニタ部により測定される光出力レベルが最大波長数での運用時と同一になるように、波長多重ダミー光を増幅する光アンプを制御する制御部と、分波器を通過した波長多重光を増幅して光伝送路に送出する光アンプとを備えたものがある（例えば、特許文献１参照）。
【０００４】
このような波長多重伝送装置において、ダミー光は伝送する光信号のＳＮ比を保つ重要な役割を有するため、一般的に冗長構成が採られる。一般的なダミー光源の冗長構成としては、２つのダミー光源から出力されるダミー光の障害を検出するモニタ回路と、２つのダミー光源の出力ラインに接続され、モニタ回路により障害が検出された場合に、正常なダミー光を選択して出力する光スイッチとを備えたものがある。
【０００５】
【特許文献１】特開２００２−３５３９３９号公報
【発明の開示】
【発明が解決しようとする課題】
【０００６】
従来の波長多重伝送装置は以上のように構成されているので、ダミー光の冗長構成には光スイッチを使用しているが、光スイッチは、機械的あるいは電気的に動作させる部品であり、故障により動作しない不良が発生すると、ダミー光が無くなってしまうため、光信号の重大な特性劣化につながる。また、光スイッチの動作不良が検出された場合でも、復旧にはその光スイッチの交換が必要となるため、ダミー光の断が不可避となり、装置の運用を継続することができないなどの課題があった。
【０００７】
この発明は上記のような課題を解決するためになされたもので、故障発生の可能性がある光スイッチを使用せず、装置の信頼性を向上する波長多重伝送装置を得ることを目的とする。
【課題を解決するための手段】
【０００８】
この発明に係る波長多重伝送装置は、ダミー光出力部に、設定された中心波長に近接したダミー光を出力する複数のダミー光源と、複数のダミー光を合波する光カプラと、合波されたダミー光の光出力レベルを測定すると共に、その測定される光出力レベルが所定値になるように複数のダミー光源の光出力レベルを制御するダミー光源制御部とを備えたものである。
【発明の効果】
【０００９】
この発明によれば、光カプラにより合波されたダミー光の光出力レベルを測定すると共に、その測定される光出力レベルが所定値になるように複数のダミー光源の光出力レベルを制御するダミー光源制御部を備えたので、複数のダミー光源のうちの一部のダミー光源が故障しても、他の正常なダミー光源の光出力レベルを高めるように制御することで、光カプラにより合波されたダミー光の光出力レベルを所定値にし、装置の運用を継続することができる。
また、複数のダミー光源から出力されるダミー光を合波する光カプラを備えたので、光カプラは、光スイッチとは異なり機械的および電気的な制御が不要な受動部品であり、故障が発生する確率は無視できるほどに小さい。従って、ダミー光源について極めて信頼性の高い冗長系を構成することができる効果が得られる。
【発明を実施するための最良の形態】
【００１０】
実施の形態１．
図１はこの発明の実施の形態１による波長多重伝送装置を示す構成図であり、図において、信号光送信部１−１〜１−ｎ（ｎは任意の自然数）は、それぞれ異なる中心波長λ１〜λｎを有する信号光をそれぞれ出力するものである。
ダミー光出力部２−ａ，２−ｂは、信号光送信部１−１〜１−ｎから出力される各信号光の中心波長λ１〜λｎとはそれぞれ異なる中心波長λａ，λｂを有するＡＳＥ光をダミー光としてそれぞれ出力するものである。
【００１１】
そのダミー光出力部２−ａにおいて、ダミー光源３ａ１，３ａ２は、ダミー光出力部２−ａに設定された中心波長λａを中心として、長短対称にそれぞれ異なる中心波長λａ１，λａ２を有し且つ互いに波長間の干渉を防ぐことが可能な程度に近接するダミー光をそれぞれ出力するものである。これらダミー光源３ａ１，３ａ２のそれぞれの光出力レベルの最大値は、通常運用で想定される値の２倍以上の出力が可能なものである。光カプラ４ａは、ダミー光源３ａ１，３ａ２から出力されるダミー光を合波するものである。分波器５ａは、光カプラ４ａにより合波されたダミー光を分波するものである。ダミー光源制御部６ａは、分波器５ａにより分波されたダミー光の光出力レベルを測定すると共に、その測定される光出力レベルが予め設定された所定値になるようにダミー光源３ａ１，３ａ２の光出力レベルを制御する制御信号を出力するものである。
【００１２】
同様に、そのダミー光出力部２−ｂにおいて、ダミー光源３ｂ１，３ｂ２は、ダミー光出力部２−ｂに設定された中心波長λｂを中心として、長短対称にそれぞれ異なる中心波長λｂ１，λｂ２を有し且つ互いに波長間の干渉を防ぐことが可能な程度に近接するダミー光をそれぞれ出力するものである。これらダミー光源３ｂ１，３ｂ２のそれぞれの光出力レベルの最大値は、通常運用で想定される値の２倍以上の出力が可能なものである。光カプラ４ｂは、ダミー光源３ｂ１，３ｂ２から出力されるダミー光を合波するものである。分波器５ｂは、光カプラ４ｂにより合波されたダミー光を分波するものである。ダミー光源制御部６ｂは、分波器５ｂにより分波されたダミー光の光出力レベルを測定すると共に、その測定される光出力レベルが予め設定された所定値になるようにダミー光源３ｂ１，３ｂ２の光出力レベルを制御する制御信号を出力するものである。
【００１３】
光合波器７は、ダミー光出力部２−ａ，２−ｂから出力されるダミー光を合波するものである。光アンプ８−１〜８−ｎは、信号光送信部１−１〜１−ｎから出力される信号光をそれぞれ増幅するものである。光アンプ９は、光合波器７からの波長多重ダミー光を増幅するものである。光合波器１０は、光アンプ８−１〜８−ｎにより増幅された信号光および光アンプ９により増幅された波長多重ダミー光を合波するものである。分波器１１は、光合波器１０からの波長多重光を分波するものである。光アンプ制御部１２は、分波器１１により分波された波長多重光の光出力レベルを測定すると共に、その測定される光出力レベルが最大波長数での運用時と同一になるように、波長多重ダミー光を増幅する光アンプ９を制御するものである。光アンプ１３は、分波器１１を通過した波長多重光を増幅して光伝送路１４に送出するものである。
【００１４】
次に動作について説明する。
図１において、信号光送信部１−１〜１−ｎは、それぞれ異なる中心波長λ１〜λｎを有する信号光を出力し、ダミー光出力部２−ａ，２−ｂは、各信号光の中心波長λ１〜λｎとはそれぞれ異なる中心波長λａ，λｂを有するダミー光を出力する。
図２は信号光およびダミー光の波長スペクトルを示す特性図であり、この波長多重伝送装置により多重可能な最大波長数がｍ（ｍはｎ以上の任意の自然数）の場合であって、運用される信号光の波長数ｎが最大波長数ｍに満たない場合には、ダミー光を空き波長に入力することにより、光アンプ１３に入力されるパワーが設計値より下回り、光アンプ出力のＳＮ比が劣化するという現象を防いでいる。
【００１５】
従って、図２では、ダミー光を中心波長λａとλｂの２波長のみとしたが、運用される信号光の波長数ｎに応じて、ダミー光の波長数は適宜設定される。また、図２では、ダミー光の波長を運用される信号光よりも短い波長と長い波長としたが、運用される信号光の間の空き波長に適用しても良い。さらに、図２では、ダミー光の光出力レベルを信号光の光出力レベルよりも高くしたが、これは、ダミー光に隣接する信号光との波長間隔λ１−λａとλｂ−λｎが、他の信号光間の波長間隔、例えば、λ２−λ１よりも長いため、波長スペクトルの全体のバランスを採るためであり、このようなダミー光の光出力レベルも、運用される信号光に応じて予め適宜設定されるものである。
【００１６】
図１のダミー光出力部２−ａにおいて、ダミー光源３ａ１，３ａ２は、それぞれ異なる中心波長λａ１，λａ２を有するダミー光を出力し、光カプラ４ａは、ダミー光源３ａ１，３ａ２から出力されるダミー光を合波する。
図３はダミー光の波長特性を示す特性図であり、図３（ａ）に示すように、ダミー光源３ａ１，３ａ２から同一波長λａのダミー光を出力して合波した場合には、ダミー光源３ａ１，３ａ２の個々の製品の特性差により生じる僅かな波長偏差により、合波されたダミー光には波長間に干渉が生じて、これが、うなり等の性能低下の要因となることが考えられる。
【００１７】
この実施の形態１では、図３（ｂ）に示すように、ダミー光源３ａ１，３ａ２からダミー光出力部２−ａに設定された中心波長λａを中心として、長短対称にそれぞれ異なる中心波長λａ１，λａ２を有し且つ互いに波長間の干渉を防ぐことが可能な程度に近接するダミー光をそれぞれ出力する。
従って、ダミー光源３ａ１，３ａ２からそれぞれ出力される波長は、ダミー光源３ａ１，３ａ２の個々の製品の特性により、中心波長λａ１，λａ２から僅かにずれるが、中心波長λａ１，λａ２は僅かにずれても波長間の干渉を防ぐことが可能なように予め設定されているので、合波されたダミー光の波長間の干渉を防ぐことができ、うなり等の性能低下の要因を防ぐことができる。
【００１８】
なお、図３（ｂ）ではダミー光源３ａ１，３ａ２という２つのダミー光源を用いた場合について説明したが、３つのダミー光源を用いる場合には、図３（ｃ）に示すように、ダミー光源３ａ１，３ａ２，３ａ３からダミー光出力部２−ａに設定された中心波長λａを中心として、長短対称にそれぞれ異なる中心波長λａ１，λａ２，λａ３を有し且つ互いに波長間の干渉を防ぐことが可能な程度に近接するダミー光をそれぞれ出力するようにすれば良い。さらに、４つ以上のダミー光源を用いる場合においても、同様に中心波長λａを中心として、長短対称に互いに波長間の干渉を防ぐことが可能な程度に近接するダミー光をそれぞれ出力するようにすれば良い。
【００１９】
図１のダミー光出力部２−ａにおいて、光カプラ４ａは、ダミー光源３ａ１，３ａ２から出力されるダミー光を合波する。
ここで、光カプラ４ａは、光スイッチとは異なり機械的および電気的な制御が不要な受動部品であり、故障が発生する確率は無視できるほどに小さい。従って、ダミー光源について極めて信頼性の高い冗長系を構成することができる。
【００２０】
また、分波器５ａは、光カプラ４ａにより合波されたダミー光を分波し、ダミー光源制御部６ａは、分波器５ａにより分波されたダミー光の光出力レベルを測定すると共に、その測定される光出力レベルが予め設定された所定値になるようにダミー光源３ａ１，３ａ２の光出力レベルを制御する制御信号を出力する。
【００２１】
例として、ダミー光源３ａ１に障害が発生し、光出力が断となった場合の対応について説明する。
ダミー光源３ａ１の光出力が断となり、光カプラ４ａによりダミー光源３ａ１，３ａ２から出力されるダミー光を合波した結果である分波器５ａからの分波出力の光出力レベルが低下したことをダミー光源制御部６ａが測定すると、ダミー光源制御部６ａは、測定される光出力レベルを所定値に保つために、ダミー光源３ａ１，３ａ２に光出力レベルを上昇するように制御する。この例では、ダミー光源３ａ１は、障害状態にあるために光出力レベルを上昇することができないが、ダミー光源３ａ２は、光出力レベルを上昇することでダミー光源３ａ１の光出力レベルの低下分をカバーし、ダミー光源制御部６ａにより測定される光出力レベルを所定値に保つことができる。
従って、ダミー光源３ａ１，３ａ２のうちの一方のダミー光源が故障しても、他の正常なダミー光源の光出力レベルを高めるように制御することで、光カプラ４ａにより合波されたダミー光の光出力レベルを所定値にし、装置の運用を継続することができる。
なお、以上、図１のダミー光出力部２−ａ内の動作について説明したが、ダミー光出力部２−ｂ内の動作についても、ダミー光出力部２−ａ内の動作と同様であることから、説明を省略する。
【００２２】
図１の光合波器７は、ダミー光出力部２−ａ，２−ｂから出力されるダミー光を合波し、光アンプ８−１〜８−ｎは、信号光送信部１−１〜１−ｎから出力される信号光をそれぞれ増幅し、光アンプ９は、光合波器７からの波長多重ダミー光を増幅する。また、光合波器１０は、光アンプ８−１〜８−ｎにより増幅された信号光および光アンプ９により増幅された波長多重ダミー光を合波する。分波器１１は、光合波器１１からの波長多重光を分波し、光アンプ制御部１２は、分波器１１により分波された波長多重光の光出力レベルを測定すると共に、その測定される光出力レベルが最大波長数での運用時と同一になるように、波長多重ダミー光を増幅する光アンプ９を制御する。光アンプ１３は、分波器１１を通過した波長多重光を増幅して光伝送路１４に送出する。
【００２３】
なお、上記実施の形態１では、ダミー光出力部２−ａ，２−ｂという２つのダミー光出力部を設けたが、ダミー光出力部の数は１つ以上であればいくつ設けるようにしても良い。
【００２４】
以上のように、この実施の形態１によれば、光カプラ４ａにより合波されたダミー光の光出力レベルを測定すると共に、その測定される光出力レベルが所定値になるようにダミー光源３ａ１，３ａ２の光出力レベルを制御するダミー光源制御部６ａを備えたので、ダミー光源３ａ１，３ａ２のうちの一方のダミー光源が故障しても、他方の正常なダミー光源の光出力レベルを高めるように制御することで、光カプラ４ａにより合波されたダミー光の光出力レベルを所定値にし、装置の運用を継続することができる。
また、ダミー光源３ａ１，３ａ２から出力されるダミー光を合波する光カプラ４ａを備えたので、光カプラ４ａは、光スイッチとは異なり機械的および電気的な制御が不要な受動部品であり、故障が発生する確率は無視できるほどに小さい。従って、ダミー光源について極めて信頼性の高い冗長系を構成することができる。
さらに、ダミー光出力部２−ａに設定された中心波長λａを中心として、中心波長λａ１，λａ２が長短対称にそれぞれ異なり且つ互いに波長間の干渉を防ぐことが可能な程度に近接するダミー光を出力するダミー光源３ａ１，３ａ２を備えたので、光カプラ４ａにより、それらダミー光を合波することにより、ダミー光出力部２−ａに設定された中心波長λａを有するダミー光を出力することができると共に、合波されたダミー光の波長間の干渉を防ぐことができ、うなり等の性能低下の要因を防ぐことができる。
【００２５】
実施の形態２．
図４はこの発明の実施の形態２による波長多重伝送装置を示す構成図であり、図のダミー光出力部２−ａにおいて、モニタ回路２１ａ１は、ダミー光源３ａ１から出力されるダミー光の光出力レベルを測定すると共に、ダミー光源３ａ１の性能状態を測定し、その測定される性能状態の劣化に応じて予備警報を発生するものである。モニタ回路２１ａ２は、ダミー光源３ａ２から出力されるダミー光の光出力レベルを測定すると共に、ダミー光源３ａ２の性能状態を測定し、その測定される性能状態の劣化に応じて予備警報を発生するものである。
ダミー光源制御部２２ａは、モニタ回路２１ａ１，２１ａ２から予備警報が発生された場合に、そのモニタ回路により測定される予備警報対象のダミー光源の光出力レベルが徐々に低下し、最終的に零になるようにダミー光源の光出力レベルを制御し、モニタ回路２１ａ１，２１ａ２からの予備警報が解除された場合に、そのモニタ回路により測定される予備警報が解除されたダミー光源の光出力レベルが徐々に上昇し、最終的に他方のダミー光源との光出力レベルが平衡するようにダミー光源の光出力レベルを制御するものである。
なお、ダミー光出力部２−ｂについても、ダミー光出力部２−ａと同様に構成されたものである。また、他の構成については、図１と同様なので説明を省略する。
【００２６】
次に動作について説明する。
図４において、モニタ回路２１ａ１は、ダミー光源３ａ１から出力されるダミー光の光出力レベルを測定し、モニタ回路２１ａ２は、ダミー光源３ａ２から出力されるダミー光の光出力レベルを測定し、それぞれダミー光源制御部２２ａに通知する。
また、モニタ回路２１ａ１は、ダミー光源３ａ１の性能状態を常に測定し、光出力レベルは正常に出力できているが、将来的に故障を引き起こす可能性が高い内部状態の変化、例えば、光源素子の設計値を超える発熱、供給電流の増加等を測定すると、ダミー光源制御部２２ａに予備警報を通知する。モニタ回路２１ａ２についてもダミー光源３ａ２に対して同様に監視する。
【００２７】
ダミー光源制御部２２ａは、上記実施の形態１と同様に、分波器５ａにより分波されたダミー光の光出力レベルを測定すると共に、その測定される光出力レベルが予め設定された所定値になるようにダミー光源３ａ１，３ａ２の光出力レベルを制御する制御信号を出力する。
【００２８】
ここで、モニタ回路２１ａ１から予備警報が通知された場合の対応について説明する。
ダミー光源制御部２２ａは、モニタ回路２１ａ１から予備警報が通知された場合に、モニタ回路２１ａ１，２１ａ２により測定される各光出力レベルを監視しながら、予備警報対象のダミー光源３ａ１の光出力レベルを徐々に低下させ、最終的に零になるようにダミー光源３ａ１の光出力レベルを制御する。この場合、ダミー光源制御部２２ａは、分波器５ａにより分波されたダミー光の光出力レベルが予め設定された所定値になるように、ダミー光源３ａ１の低下分、ダミー光源３ａ２の光出力レベルを上昇させるように制御する。
従って、ダミー光源３ａ１の故障を引き起こす前の性能状態の劣化に応じて、ダミー光源３ａ１の光出力レベルを徐々に低下させ、最終的に零にしてからダミー光源３ａ１を交換することができ、信号の伝送に影響を与えることなく、装置の保守ができる。
【００２９】
つぎに、ダミー光源３ａ１の交換後にモニタ回路２１ａ１から予備警報が解除された場合の対応について説明する。
ダミー光源制御部２２ａは、モニタ回路２１ａ１からの予備警報が解除された場合に、モニタ回路２１ａ１，２１ａ２により測定される各光出力レベルを監視しながら、予備警報が解除されたダミー光源２１ａ１の光出力レベルを徐々に上昇し、最終的にダミー光源３ａ２との光出力レベルが平衡するようにダミー光源３ａ１の光出力レベルを制御する。この場合、ダミー光源制御部２２ａは、分波器５ａにより分波されたダミー光の光出力レベルが予め設定された所定値になるように、ダミー光源３ａ１の上昇分、ダミー光源３ａ２の光出力レベルを低下させるように制御する。
従って、ダミー光源３ａ１が正常となり、予備警報の解除により、ダミー光源３ａ１の光出力レベルを徐々に上昇させ、最終的にダミー光源３ａ２との光出力レベルが平衡するようにすることができ、信号の伝送に影響を与えることなく、予備警報発生前の状態に復旧することができる。
なお、以上、モニタ回路２１ａ１から予備警報が通知および解除された場合について説明したが、モニタ回路２１ａ２から予備警報が通知および解除された場合の対応についても、同様にダミー光源３ａ２の光出力レベルを徐々に低下させ、最終的に零にしてからダミー光源３ａ２を交換し、ダミー光源３ａ２の光出力レベルを徐々に上昇させ、最終的にダミー光源３ａ１との光出力レベルが平衡するようにすることができる。
【００３０】
以上のように、この実施の形態２によれば、モニタ回路２１ａ１から予備警報が発生された場合に、そのモニタ回路２１ａ１により測定される予備警報対象のダミー光源３ａ１の光出力レベルが徐々に低下し、最終的に零になるようにダミー光源３ａ１の光出力レベルを制御するダミー光源制御部２２ａを備えたので、ダミー光源３ａ１の故障を引き起こす前の性能状態の劣化に応じて、ダミー光源３ａ１の光出力レベルを徐々に低下させ、最終的に零にしてからダミー光源３ａ１を交換することができ、信号の伝送に影響を与えることなく、装置の保守ができる。
また、モニタ回路２１ａ１からの予備警報が解除された場合に、そのモニタ回路２１ａ１により測定される予備警報が解除されたダミー光源３ａ１の光出力レベルが徐々に上昇し、最終的に他のダミー光源３ａ２との光出力レベルが平衡するようにダミー光源３ａ１の光出力レベルを制御するダミー光源制御部２２ａを備えたので、ダミー光源３ａ１が正常となり、予備警報の解除により、ダミー光源３ａ１の光出力レベルを徐々に上昇させ、最終的に他のダミー光源３ａ２との光出力レベルが平衡するようにすることができ、信号の伝送に影響を与えることなく、予備警報発生前の状態に復旧することができる。
【図面の簡単な説明】
【００３１】
【図１】この発明の実施の形態１による波長多重伝送装置を示す構成図である。
【図２】信号光およびダミー光の波長スペクトルを示す特性図である。
【図３】ダミー光の波長特性を示す特性図である。
【図４】この発明の実施の形態２による波長多重伝送装置を示す構成図である。
【符号の説明】
【００３２】
１−１〜１−ｎ  信号光送信部、２−ａ，２−ｂ  ダミー光出力部、３ａ１，３ａ２，３ｂ１，３ｂ２  ダミー光源、４ａ，４ｂ  光カプラ、５ａ，５ｂ，１１  分波器、６ａ，６ｂ，２２ａ  ダミー光源制御部、７，１０  光合波器、８−１〜８−ｎ，９，１３  光アンプ、１２  光アンプ制御部、１４  光伝送路、２１ａ１，２１ａ２  モニタ回路。
【図１】
2008141674.tif 000003
【図２】
2008141674.tif 000004
【図３】
2008141674.tif 000005
【図４】
2008141674.tif 000006